(57)【特許請求の範囲】
【請求項１】
蜂の巣状に形成されたハニカムコア等の板状に形成された中空建材本体と、この中空建材本体の表裏面にそれぞれ貼り合わされた表面材および裏面材と、前記表面材に保持され前記中空建材本体の端面を覆う構造の端部カバーとを備えたハニカムパネル等の板状中空建材において、
前記端部カバーの前記裏面材側へ向かう部位の先端部と前記裏面材との間に、所定の隙間Ａを設けたことを特徴とするハニカムパネル等の板状中空建材。
【請求項２】
前記請求項１記載のハニカムパネル等の板状中空建材において、
前記隙間Ａの隙間幅αを、１．６〔ｍｍ〕以上としたことを特徴とするハニカムパネル等の板状中空建材
【請求項３】
蜂の巣状に形成されたハニカムコア等の板状に形成された中空建材本体と、この中空建材本体の表裏面にそれぞれ貼り合わされた表面材および裏面材と、前記表面材に保持され前記中空建材本体の端部を覆う構造の端部カバーとを備えたハニカムパネル等の板状中空建材において、
前記端部カバーの前記裏面材側へ向かう部位の先端部と前記裏面材との間に、所定の隙間Ａを設け、
前記中空建材本体の端面と該端面を覆う箇所の前記端部カバー部分との間に、所定厚さの空隙領域Ｂを設けたことを特徴とするハニカムパネル等の板状中空建材。
【請求項４】
前記請求項３記載のハニカムパネル等の板状中空建材において、
前記裏面材の端部を前記端部カバーの先端部に対向する位置まで延設して裏面材延設部とすると共に、
この裏面材延設部と前記端部カバーの先端部との間に、前記隙間Ａを設けたことを特徴とするハニカムパネル等の板状中空建材。
【請求項５】
前記請求項４記載のハニカムパネル等の板状中空建材において、
前記裏面材延設部の先端部を、前記端部カバーの先端部に対向する位置を越えた位置にまで延設したことを特徴とするハニカムパネル等の板状中空建材。
【請求項６】
前記請求項１乃至５記載の何れか一つに記載のハニカムパネル等の板状中空建材において、
前記端部カバーの先端部を断面鋭角状に形成したことを特徴とするハニカムパネル等の板状中空建材。
【請求項７】
前記請求項６記載のハニカムパネル等の板状中空建材において、
前記端部カバーの先端部の断面形状を、内側に傾斜面を備えた断面鋭角状としたことを特徴とするハニカムパネル等の板状中空建材。
【請求項８】
前記請求項４記載のハニカムパネル等の板状中空建材において、
前記端部カバーの先端部の断面形状を、内側に傾斜面を備えた断面鋭角状とすると共に、前記裏面材延設部の先端部の形状を、前記端部カバーの先端部に対向して内側に傾斜面を備えた断面鋭角状としたことを特徴とするハニカムパネル等の板状中空建材。
【請求項９】
前記請求項３，４，５，８の何れか一つに記載のハニカムパネル等の板状中空建材において、
前記隙間Ａの隙間幅αを、１．６〔ｍｍ〕以上とすると共に、前記空隙領域Ｂの空隙厚さβを１．６〔ｍｍ〕以上としたことを特徴とするハニカムパネル等の板状中空建材。
【請求項１０】
蜂の巣状に形成されたハニカムコア等の板状に形成された中空建材本体と、この中空建材本体の表裏面にそれぞれ貼り合わされた表面材および裏面材と、前記表面材に保持され前記中空建材本体の端部を覆う構造の端部カバーとを備えたハニカムパネル等の板状中空建材において、
前記中空建材本体の端面とこの端面を覆う箇所の前記端部カバーとの間に、空隙領域Ｂを設けると共に、
前記端部カバーの前記裏面材側へ向かう部位の先端部に、前記裏面材の端部の外側を覆うように曲折して成るカバー先端曲折部を設け、
このカバー先端曲折部と前記裏面材の端部との間に所定の隙間Ａを設けたことを特徴とするハニカムパネル等の板状中空建材。
【請求項１１】
前記請求項１０記載のハニカムパネル等の板状中空建材において、
前記カバー先端曲折部の突出長さを、前記空隙領域Ｂの空隙厚さ寸法とほぼ同等の寸法に設定したことを特徴とするハニカムパネル等の板状中空建材。
【請求項１２】
前記請求項１０記載のハニカムパネル等の板状中空建材において、
前記カバー先端曲折部の先端部を、前記裏面材に面して傾斜面を有する断面鋭角状に形成したことを特徴とするハニカムパネル等の板状中空建材。
【請求項１３】
前記請求項１０乃至１２の内の何れか一つに記載のハニカムパネル等の板状中空建材において、
前記空隙領域Ｂの空隙厚さβを１．６〔ｍｍ〕以上とすると共に、前記カバー先端曲折部と前記裏面材の端部との間の隙間Ａの隙間幅αを１．６〔ｍｍ〕以上としたことを特徴とするハニカムパネル等の板状中空建材。
【請求項１４】
蜂の巣状に形成されたハニカムコア等の板状に形成された中空建材本体と、この中空建材本体の表裏面にそれぞれ貼り合わされた表面材および裏面材と、前記表面材に保持され前記中空建材本体の端部を覆う構造の端部カバーとを備えたハニカムパネル等の板状中空建材において、
前記中空建材本体の端面とこの端面を覆う箇所の前記端部カバーとの間に、前記裏面材側が開放された所定の空隙領域Ｂを設けたことを特徴とするハニカムパネル等の板状中空建材。
【請求項１５】
前記請求項１４記載のハニカムパネル等の板状中空建材において、
前記空隙領域の開放端に位置する前記端部カバーの先端部に、前記裏面材の端面に向かう突出部を設けると共に、
この突出部の先端面と前記裏面材の端面との間に、前記所定の隙間Ｃを設けたことを特徴とするハニカムパネル等の板状中空建材。
【請求項１６】
前記請求項１５記載のハニカムパネル等の板状中空建材において、
前記端部カバーの先端部に設けた突出部を、内側に傾斜面を有する断面鋭角状に形成したことを特徴とするハニカムパネル等の板状中空建材。
【請求項１７】
前記請求項１６記載のハニカムパネル等の板状中空建材において、
前記端部カバーの先端部に設けた突出部に向けて、前記裏面材の端部を延設すると共に、この裏面材の延設端部を、内側に傾斜面を有する断面鋭角状に形成したことを特徴とするハニカムパネル等の板状中空建材。
【請求項１８】
前記請求項１４乃至１７の内の何れか一つに記載のハニカムパネル等の板状中空建材において、
前記中空建材本体の端面とこの端面を覆う箇所の前記端部カバーとの空隙領域Ｂの空隙厚さβを１．６〔ｍｍ〕以上としたことを特徴とするハニカムパネル等の板状中空建材。
【請求項１９】
前記請求項１５，１６又は１７の内の何れか一つに記載のハニカムパネル等の板状中空建材において、
前記端部カバーの突出部の先端面と前記裏面材の端面との間に設けた隙間Ｃの隙間幅γを、０．６〔ｍｍ〕以上としたことを特徴とするハニカムパネル等の板状中空建材。
【請求項２０】
蜂の巣状に形成されたハニカムコア等の板状に形成された中空建材本体と、この中空建材本体の表裏面にそれぞれ貼り合わされた表面材および裏面材と、前記表面材に保持され前記中空建材本体の端部を覆う構造の端部カバーとを備えたハニカムパネル等の板状中空建材において、
前記中空建材本体の端面とこの端面を覆う箇所の前記端部カバーとの間に、所定の空隙領域Ｓを設けると共に、この空隙領域Ｓを覆うようにして前記裏面材の端部に前記端部カバーの先端部に向かう延設部を設け、
この裏面材延設部と前記端部カバーの前記裏面材に向かう部位との間に、前記空隙領域Ｓに連通する所定の隙間Ａを設け、
この隙間Ａに近接して、前記空隙領域Ｓ内の前記端部カバーの内壁に、当該端部カバーから前記中空建材本体の端面に向かう内側突出部を設け、
この内側突出部と前記中空建材本体の端面との間，および前記内側突出部と前記裏面材との間に、それぞれ所定の隙間ｅ，ｆを設けたことを特徴とするハニカムパネル等の板状中空建材。
【請求項２１】
蜂の巣状に形成されたハニカムコア等の板状に形成された中空建材本体と、この中空建材本体の表裏面にそれぞれ貼り合わされた表面材および裏面材と、前記表面材に保持され前記中空建材本体の端部を覆う構造の端部カバーとを備えたハニカムパネル等の板状中空建材において、
前記中空建材本体の端面とこの端面を覆う箇所の前記端部カバーとの間に、所定の空隙領域Ｓを設けると共に、この空隙領域Ｓを覆うようにして前記裏面材の端部に前記端部カバーの先端部に向かう延設部を設け、
この裏面材延設部と前記端部カバーの前記裏面材に向かう部位との間に、前記空隙領域Ｓに連通する所定の隙間Ａを設け、
この隙間Ａに近接して、前記空隙領域Ｓ内の前記端部カバーの内壁に前記中空建材本体の端面に向かう内側突出部を設けると共に、当該内側突出部の先端部を前記裏面材側に向けて下降した状態に設定し、
この内側突出部と前記中空建材本体の端面との間，および前記内側突出部と前記裏面材との間に、それぞれ所定幅の隙間ｅ，ｆを設けたことを特徴とするハニカムパネル等の板状中空建材。
【請求項２２】
前記請求項２０又は２１記載のハニカムパネル等の板状中空建材において、
前記隙間Ａ，ｅ，ｆの各幅寸法を、１．６〔ｍｍ〕以上としたことを特徴とするハニカムパネル等の板状中空建材。
【請求項２３】
蜂の巣状に形成されたハニカムコア等の板状に形成された中空建材本体と、この中空建材本体の表裏面にそれぞれ貼り合わされた表面材および裏面材と、前記表面材に保持され前記中空建材本体の端部を覆う構造の端部カバーとを備えたハニカムパネル等の板状中空建材において、
前記中空建材本体の端面とこの端面を覆う箇所の前記端部カバーとの間に、所定の空隙領域Ｓを設けると共に、この空隙領域Ｓを覆うようにして前記裏面材の端部に前記端部カバーの先端部に向かう延設部を設け、
前記空隙領域Ｓを形成する前記端部カバーの内壁に前記中空建材本体の端面に向かう内側突出部を設けると共に、当該内側突出部の先端部を前記裏面材側に向けて下降した状態に設定し、
この内側突出部の先端部と前記中空建材本体の端面との間，および前記内側突出部の先端部と前記裏面材との間に、それぞれ所定幅の隙間ｅ，ｆを設け、
前記端部カバーの先端部に前記裏面材の延設部の先端部に向かう内側突起部を設けると共に、この内側突起部の先端と前記裏面材の延設部の先端との間に所定幅の隙間Ｃを設け、
この内側突起部と前述した裏面材の延設部の端部とを、それぞれ内側に傾斜面を有する断面鋭角状に形成したことを特徴とするハニカムパネル等の板状中空建材。
【請求項２４】
前記請求項２３記載のハニカムパネル等の板状中空建材において、
前記隙間ｅ，ｆの各隙間幅を、１．６〔ｍｍ〕以上とすると共に、前記隙間Ｃの隙間幅γを、０．６〔ｍｍ〕以上としたことを特徴とするハニカムパネル等の板状中空建材。
【請求項２５】
前記請求項１乃至２４の何れか一つに記載のハニカムパネル等の板状中空建材において、
前記端部カバーを断面Ｌ字状に形成したことを特徴とするハニカムパネル等の板状中空建材。
【発明の詳細な説明】
【０００１】
【発明の属する技術分野】
本発明は、ハニカムパネル等の板状中空建材に係り、特に、庇や軒天井用の建材として従来より比較的多く使用されているハニカムパネル等の板状中空建材に関する。
【０００２】
【従来の技術】
板状中空建材であるハニカムパネルは、従来より庇や軒天井用のアルミニュウム製建材として、従来より比較的多く使用されている。この場合、ハニカムパネルは、適当な大きさに切断されて使用されるが、通常は、その美観上或いは安全対策上の観点より、その端部（切断面部分）が化粧枠体で覆われるようになっている。
【０００３】
図７に、中空建材であるハニカムパネル１００の従来例を示す。このハニカムパネル１００は素材をアルムニウム製として形成されている。
この図７に示すハニカムパネル１００は、ハニカムコア１０１と、このハニカムコア１０１の表裏面にそれぞれ貼り合わされた表面材１０２および裏面材１０３とを備えている。そして、このハニカムコア１０１の端面周囲（又は切断面）を覆うようにして、断面Ｌ字状の端部カバー（「枠材」ともいう）１０５が、当該表面材１０２および裏面材１０３が付されたハニカムコア１０１の端部に装備されている。
【０００４】
この図７に示す従来例では、ハニカムコア１０１に対し、表面材１０２および裏面材１０３は接着材によって一体化されている。
又、前述した端部カバー１０５は、断面Ｌ字状に形成されている。そして、この端部カバー１０５は、前述した表面材１０２の角部を曲折面に合わせると共に、一方の曲折部１０５Ａが表面材１０２にリベット止めされ、他方の曲折部１０５Ｂは前述した裏面材１０３の延設部１０３Ａにシリコーンシーラント１０９を介して連接され、これによって全体的に堅牢に形成されると共に、内部への雨滴の進入が防止された構造となっている。
ここで、符号１０７は、リベットによるかしめ付けに際し端部カバー１０５の前記表面材１０２側に装着された防水シールを示す。又、符号１０５Ｂａは他方の曲折部１０５Ｂの先端部（図７の下端部）に形成された鍔部を示す。
【０００５】
【発明が解決しようとする課題】
しかしながら、上記従来例にあっては、リベットによってかしめ付けされた箇所（表面材１０２および裏面材１０３と端部カバー１０５との間）に僅かな隙間があると、水蒸気や雨滴，雨水が内部に進入する。また、表面材１０２又は裏面材１０３が風圧等の外力によってハニカムコア１０１から部分的に剥離すると、その僅かな隙間から水蒸気や雨滴，雨水が内部に進入する。これら進入した雨水等は、ハニカムコア１０１内や加工時に切断した小口内部に溜り易い。
【０００６】
一方、内部に進入した水蒸気や雨滴，雨水は、中空内部が密閉構造となっていることから、外部へ排出されにくい。このため、冬季には凍結して膨張し、ハニカムコア１０１や表面材１０２，裏面材１０３および端部カバー（枠材）１０５の変形の原因となり、それが進行すると、ハニカムコア１０１から表面材１０２，裏面材１０３および端部カバー（枠材）１０５が剥離してハニカムパネル１００は体を成さなくなり、その結果、庇や軒天井が強度的に低下し、その機能を維持し得ないという不都合な事態が生じる
【０００７】
【発明の目的】
本発明は、上記従来例の有する不都合を改善し、冬季にあっても変形にすることなく又しかも経時的にもその強度を長期間有効に維持し得る耐久性あるハニカムパネル等の板状中空建材を提供することを、その目的とする。
【０００８】
【課題を解決するための手段】
上記目的を達成するため、請求項１乃至９記載の各発明では、蜂の巣状に形成されたハニカムコア等の板状に形成された中空建材本体と、この中空建材本体の表裏面にそれぞれ貼り合わされた表面材および裏面材と、表面材に保持され前記中空建材本体の端部を覆う構造の端部カバーとを備えたハニカムパネル等の板状中空建材において、前述した端部カバーの前述した裏面材側へ向かう部位の先端部と裏面材との間に、所定の隙間Ａを設ける、という構成を共通の基本構成として採用している。
【０００９】
このため、この請求項１乃至９記載の各発明では、ハニカムコアの端面の図１における下方領域は常に外気に導通されることとなり、当該ハニカムコアの内部に進入した雨水等は効率よく外部に排水される。このため、前述した従来例で生じていた冬季おける雨水等の氷結および膨張とこれに伴うハニカムパネルの変形や損傷事故を、大幅に抑制することができる。
ここで、前述した隙間Ａの隙間幅αを、１．６〔ｍｍ〕以上の所定値としてもよい（請求項２記載）。
【００１０】
このようにしても、ハニカムコアの内部に溜まった雨水等の排出効率を損なうことなく当該隙間Ａの隙間幅αが小さく設定され、これがため、端部カバーの化粧板としての機能を有効に維持することができる。
【００１１】
また、端部カバーの前述した裏面材側へ向かう部位の先端部と裏面材との間に、所定の隙間Ａを設けると共に、中空建材本体の端面と当該端面を覆う箇所の前述した端部カバー部分との間に、所定の空隙領域Ｂを設けるように構成してもよい（請求項３記載）。
【００１２】
このようにすると、端部カバーが装備された部分を下方にして庇等の素材として使用した場合には、内部に進入した雨水等が前述した空隙領域Ｂ部分に溜まり難くなり、同時に当該した空隙領域Ｂ部分に溜まった雨水等は前述した隙間Ａから直ちに外部に排水されることなって都合がよい。
【００１３】
更に、前述した裏面材については、その端部を前述した端部カバーの先端部に対向する位置まで延設して裏面材延設部とすると共に、この裏面材延設部と前述した端部カバーの先端部との間に、前述した隙間Ａを設けるように構成してもよい（請求項４記載）。
このようにすると、隙間Ａの位置が裏面材の延長方向側となり、雨水等の外部への排出に際しては一度裏面材延設部上で留めた後に排水することとなり、四方への飛散を抑制することができる。
【００１４】
また、上述した裏面材延設部については、その先端部を、前述した端部カバーの先端部に対向する位置を越えた位置にまで延設するように構成してもよい（請求項５記載）。
このようにすると、雨水等の外部への排出に際して、四方への飛散を更に有効に抑制することができて都合がよい。
【００１５】
又、前述した端部カバーの先端部については、その断面形状を鋭角状に形成してもよい（請求項６記載）。
この場合、端部カバーの先端部の断面形状については、内側に傾斜面を備えた断面鋭角状としてもよい（請求項７記載）。
更に、前述した請求項４記載のハニカムパネル等の板状中空建材において、端部カバーの先端部の断面形状を、内側に傾斜面を備えた断面鋭角状とすると共に、裏面材延設部の先端部の形状を、前述した端部カバーの先端部に対向して内側に傾斜面を備えた断面鋭角状とする、と構成してもよい（請求項８記載）。
【００１６】
このようにすると、水の表面張力および毛管現象等によって当該箇所に形成され易い雨水によるブリッジを大幅に抑制することができ、内部に溜まった雨水等の外部への排出（自然流下動作）が円滑に行われることとなる。
【００１７】
又、前述した隙間Ａの隙間幅については、その寸法を１．６〔ｍｍ〕以上とすると共に、空隙領域Ｂの空隙厚さβを同じく１．６〔ｍｍ〕以上としてもよい（請求項９記載）。
このようにすると、隙間Ａの隙間幅αの大きさを適度に設定し得るので空隙領域Ｂを覆うことができ、端部カバー（枠材）の化粧板としての機能を有効に発揮することができて都合がよい。
【００１８】
請求項１０乃至１３記載の各発明では、蜂の巣状に形成されたハニカムコア等の板状に形成された中空建材本体と、この中空建材本体の表裏面にそれぞれ貼り合わされた表面材および裏面材と、前記表面材に保持され前記中空建材本体の端部を覆う構造の端部カバーとを備えたハニカムパネル等の板状中空建材において、前述した中空建材本体の端面とこの端面を覆う箇所の前記端部カバーとの間に、空隙領域Ｂを設ける。
【００１９】
又、端部カバーの前述した裏面材側へ向かう部位の先端部に、前述した裏面材の端部の外側を覆うように曲折して成るカバー先端曲折部を設ける。そして、このカバー先端曲折部と前述した裏面材の端部との間に所定の隙間Ａを設ける、という構成を共通の基本構成として採用している。
【００２０】
このため、この請求項１０乃至１３記載の各発明では、前述した請求項１記載の発明とほぼ同等の作用効果を有するほか、更に、隙間Ａが裏面材に沿って内側に向いているので、前述したハニカムコア１と端部カバー１５との間に設定された空隙領域Ｂを完全に覆うことができ、かかる点において化粧板としての装飾機能を有効に発揮することができ、更にこれを所定の勾配をもって傾斜装備した場合でも、ハニカムコア等の中空建材本体内に残存した雨水等も空隙領域Ｂ部分に集められるので、冬季にあってもハニカムコア内での氷結変形をを有効に防止することができ、空隙領域Ｂ部分の図２における下端部領域は外気に面しているので、蒸発し易い状態となっており都合がよい。
【００２１】
ここで、カバー先端曲折部の突出長さを、前述した空隙領域Ｂの空隙厚さβとほぼ同等の寸法に設定してもよい（請求項１１記載）。
又、前述したカバー先端曲折部の先端部を、前述した裏面材に面して傾斜面を有する断面鋭角状に形成してもよい（請求項１２記載）。
このようにすると、空隙領域Ｂ部分の図２における下端部領域に残存する雨水等を少なくすることができ外部に有効に排水する事ができる。
【００２２】
更に、前述した空隙領域Ｂの空隙厚さβを１．６〔ｍｍ〕以上とすると共に、カバー先端曲折部と裏面材の端部との間の隙間Ａの隙間幅αを１．６〔ｍｍ〕以上としてもよい（請求項１３記載）。
このようにすると、排水機能を損なうことなく、端部カバーの化粧板としての装飾機能を更に有効に発揮することが可能となる。
【００２３】
請求項１４乃至１９記載の各発明では、蜂の巣状に形成されたハニカムコア等の板状に形成された中空建材本体と、この中空建材本体の表裏面にそれぞれ貼り合わされた表面材および裏面材と、表面材に保持され前述した中空建材本体の端部を覆う構造の端部カバーとを備えたハニカムパネル等の板状中空建材において、中空建材本体の端面とこの端面を覆う箇所の前述した端部カバーとの間に、前述した裏面材側が開放された所定の空隙領域Ｂを設ける、という構成を共通の基本構成として採用している。
【００２４】
このため、この請求項１４乃至１９記載の各発明では、前述した請求項１０記載の発明と同一の作用効果を有するほか、更に、空間領域Ｂの裏面材が完全に開放されており、これがため、ハニカムコア内の雨水等が空間領域Ｂに溜まるのを完全に防止することができるという利点がある。
【００２５】
ここで、前述した空隙領域の開放端に位置する前述した端部カバーの先端部に、裏面材の端面に向かう突出部を設けると共に、この突出部の先端面と前述した裏面材の端面との間に所定の隙間Ｃを設けるように構成してもよい（請求項１５記載）。
このようにすると、空間領域Ｂを一部覆うことができ、かかる点において、端部カバーの化粧板としての機能をより一層有効に発揮することができる。
【００２６】
又、前述した端部カバーの先端部に設けた突出部を、内側に傾斜面を有する断面鋭角状に形成してもよい（請求項１６記載）。
更に、端部カバーの先端部に設けた突出部に向けて、前述した裏面材の端部を延設すると共に、この延設された裏面材の端部を、内側に傾斜面を有する断面鋭角状に形成してもよい（請求項１７記載）。
このようにすると、隙間Ｃ部分での流下抵抗を少なくすることがき、このため内部に溜まった雨水等を外部により円滑に排出することができることとなる。
【００２７】
ここで、前述した空隙領域Ｂの空隙厚さを１．６〔ｍｍ〕以上としてもよい（請求項１８記載）。又、前述したそれぞれ傾斜面を有する断面鋭角状突出部の先端面と裏面材の端面との間の隙間Ｃの隙間幅γを、０．６〔ｍｍ〕以上としてもよい（請求項１９記載）。
このようにすると、ハニカムパネル内に溜まった雨水等を外部に容易に排水し得ることを、実験的にも確認することができた。
【００２８】
請求項２０乃至２２記載の各発明では、蜂の巣状に形成されたハニカムコア等の板状に形成された中空建材本体と、この中空建材本体の表裏面にそれぞれ貼り合わされた表面材および裏面材と、表面材に保持され前述した中空建材本体の端部を覆う構造の端部カバーとを備えたハニカムパネル等の板状中空建材において、中空建材本体の端面とこの端面を覆う箇所の端部カバー部位との間に、所定の空間領域Ｓを設けると共に、端部カバーの前述した裏面材側へ向かう部位の先端部と裏面材の延設部との間に、前述した空隙領域Ｓに連通する所定の隙間Ａを設ける。
【００２９】
又、この隙間Ａに近接して、空隙領域Ｓ内の前述した端部カバーの内壁に、当該端部カバーから中空建材本体の端面に向かう内側突出部を設ける。
そして、この内側突出部と前述した中空建材本体の端面との間，および内側突出部と前述した裏面材の延設部との間に、それぞれ所定の隙間ｅ，ｆを設ける、という構成を共通の基本構成として採用している。
【００３０】
このため、この請求項２０乃至２２記載の各発明では、前述した図１（Ａ）の場合（第１実施形態）の場合とほぼ同等の作用効果を有するほか、更に、内側突出部が有効に機能して、雨水等の排水機能を損なうことなく、又ハニカムコア１内の空間と外気とを遮断することなく、内部を有効に遮蔽し化粧板としての機能を有効に維持することができるという利点がある。
【００３１】
ここで、前述した内側突出部は、その先端部を前述した裏面材の延設部に向けて降下した状態に設定してもよい（請求項２１記載）。
このようにすると、空隙領域Ｓ内に集められた雨水等が内部に留まることなく全て内側突出部に沿って流下することから、当該雨水等を空隙領域Ｓ内から完全に外部に流下排出し得るという利点がある。
【００３２】
又、前述した隙間Ａ，ｅ，ｆの各隙間幅については、１．６〔ｍｍ〕以上としてもよい（請求項２２記載）。
このようにすると、ハニカムパネル内に溜まった雨水等を外部に容易に排水し得ることを、実験的にも確認することができた。
【００３３】
請求項２３乃至２４記載の発明では、蜂の巣状に形成されたハニカムコア等の板状に形成された中空建材本体と、この中空建材本体の表裏面にそれぞれ貼り合わされた表面材および裏面材と、表面材に保持され前述した中空建材本体の端部を覆う構造の端部カバーとを備えたハニカムパネル等の板状中空建材において、中空建材本体の端面とこの端面を覆う箇所の端部カバーとの間に、所定の空隙領域Ｓを設けると共に、この空隙領域Ｓを覆うようにして前記裏面材の端部に前述した端部カバー側に向かう延設部を設ける。
【００３４】
又、端部カバーの内壁に、前述した中空建材本体の端面に向かう向かう内側突出部を設けると共に、当該内側突出部の先端部を裏面材側に向けて下降した状態に設定する。
そして、この内側突出部と前述した中空建材本体の端面との間，及び内側突出部と前述した裏面材の延設部との間に、それぞれ所定の隙間ｅ，ｆを設ける。
【００３５】
更に、端部カバーの先端部に、裏面材の延設部の先端部に向かう内側突起部を設けると共に、この端部カバー側の内側突起部の先端部と前述した裏面材の延設部の先端部との間に所定の隙間Ｃを設ける。
そして、この内側突起部と前述した裏面材の延設部の端部とを、それぞれ内側に傾斜面を有する断面鋭角状に形成する、という構成を共通の基本構成として採用している。
【００３６】
このため、この請求項２３乃至２４記載の各発明では、前述した請求項２１記載の発明と同等の機能を有するほか、更に、端部カバーの先端突起部と前述した裏面材の延設部の端部とを、それぞれ内側に傾斜面を有する断面鋭角状に形成するように構成したので、当該箇所の隙間Ｃに毛細管現象によって形成される排水のブリッジが形成されにくくなるので、当該箇所にブリッジが形成されるのを抑制することができ、ハニカムパネル内に溜まった雨水等を容易に且つ連続して外部に排水することができ、同時に、水の通過流路の面積が小さくなるので、流動抵抗も小さくなり、これがため、当該箇所の幅寸法を大幅に小さく設定することが可能となる。
【００３７】
ここで、前述した隙間ｅ，ｆの各幅寸法を、１．６〔ｍｍ〕以上とすると共に、前述した隙間Ｃの幅寸法を、０．６〔ｍｍ〕以上としてもよい（請求項２４記載）。
このようにしても、ハニカムパネル内に溜まった雨水等を外部に容易に排水し得ることを、実験的にも確認することができた。
【００３８】
請求項２５記載の発明では、前述した請求項１乃至２５の何れか一つに記載のハニカムパネル等の板状中空建材において、端部カバーを断面Ｌ字状に形成する、という構成を採っている。
このため、請求項２５記載の発明では、前述した請求項１乃至２５記載の各発明と同等の機能を有するほか、更に、装着が容易となり、生産性向上を図り得るという利点がある。
【００３９】
【発明の実施の形態】
以下、本発明を建材用のアルミニュウム製のハニカムパネルについて実施した場合の実施形態を、図面に従って説明する。
【００４０】
【第１の実施形態】
第１の実施形態を図１（Ａ）に基づいて説明する。又、この図１（Ａ）の変形例を図１（Ｂ）（Ｃ）に示す。
【００４１】
まず、図１（Ａ）において、符号１は板状に形成された中空建材本体としてのハニカムコアを示す。このハニカムコア（中空建材本体）１は、蜂の巣状に形成されている。この蜂の巣状に形成されたハニカムコア１の表裏面には、表面材２および裏面材３がそれぞれ接着剤によって貼り合わされている。このハニカムコア１の端面には、端部カバー５が装着されている。
【００４２】
この端部カバー５は断面Ｌ字状に形成され、その曲折された一方の曲折部位５Ａが表面材２に接着材等によって固着され、又当該曲折された他方の曲折部位５Ｂが前述したハニカムコア１の端面１Ａを（図１の下端部を一部除いて）覆うように配設されている。
この場合、端部カバー５と裏面材３との間には後述するように幅寸法αの隙間Ａが設定される。又、この図１（Ａ）に示す第１の実施形態では、この隙間Ａが、図１（Ａ）の左方向に向いて開示され設定されている点に特徴を有する。
【００４３】
このため、ハニカムコア１の端面１Ａの図１における下方領域は常に外気に導通されることとなり、当該ハニカムコア１の内部に進入した雨水等は効率よく外部に排水され、又ハニカムコア１の内部の残存する湿気は外気との入れ代わりが自然に行われることから、当該ハニカムコア１内における雨水等の残存量は極端に少くなる。このため、前述した従来例で生じていた冬季における雨水等の氷結および膨張とこれに伴うハニカムパネル１０の変形や損傷事故を、大幅に抑制することができ、同時に当該ハニカムパネル１０の耐久性を著しく向上させることができる。
【００４４】
又、本実施形態では、ハニカムコア１の端面１Ａと当該端面１Ａを覆う箇所の前述した端部カバー５の他方の部位５Ｂとの間には、空隙領域Ｂが設けられている。この空隙領域Ｂの厚さ寸法βは、本実施形態では、β＝１．６〔ｍｍ〕以上の所定の大きさに設定されている。この空隙領域Ｂの厚さ寸法β＝１．６〔ｍｍ〕は雨水等が表面張力によってその排出通路が塞がれるのを回避する限界の寸法であることを実験によっても確認することができた。又、端部カバー５は化粧板としても機能するため、開口溝を小さくすることは社会的な要求でもある。
【００４５】
このため、本実施形態では、端部カバー５が装備された部分を下方にして庇等の素材として使用した場合には、内部に進入した雨水等が前述した空隙領域Ｂ部分に溜まり難くなり、同時に当該した空隙領域Ｂ部分に溜まった雨水等は前述した隙間Ａから直ちに外部に排水されることなる。
【００４６】
裏面材３の端部には、図１（Ａ）に示すように、端部カバー５の他方の曲折部位５Ｂの先端部に対向する位置まで裏面材３が延設されている。そして、この裏面材３の延設部３Ａの端部と前述した端部カバーの先端部との間に、前述した所定寸法αの隙間Ａが設けられている。
【００４７】
この場合、隙間Ａの幅寸法αは、本実施形態では、α＝１．６〔ｍｍ〕以上の所定の大きさに設定されている。この幅寸法αの上限はとくに限定されないが、例えば、外観上５．０〔ｍｍ〕程度以下に設定してもよい。
【００４８】
前述した端部カバー５の先端部，即ち裏面材３に向けて曲折された部位５Ｂの先端部は、内側に傾斜面５Ｂａを備えた断面鋭角状に形成されている。この傾斜面５Ｂａについては、外側に設けてもよい。
【００４９】
この隙間Ａを形成する端部カバー５の先端部の形状が、断面鋭角状となっていることから、内部の雨水等がこの隙間Ａを通過する際の流動抵抗が大幅に低減され、これがため、ハニカムコア１の内部に溜まった雨水等は容易に外部に排出されることとなる。
【００５０】
このように、上記第１の実施形態では、裏面材３の端部と端部カバー５の他方の曲折端部（図１における下端部）との間に形成される隙間Ａが有効に機能してハニカムコア１の内底部に溜まった雨水等を容易に外部へ排出することができ、とくに傾斜装備した場合にはハニカムコア１の端面１Ａと端部カバー５との間の空隙領域Ｂによって、ハニカムコア１の内部に散在する雨水等を前述した隙間Ａに向けて集めることができ、これがため、内部に進入した雨水等を連続して且つ円滑に流下排出することができ、内部の湿気についても常に外気との自然対流によって外部に排気することができ、これがため、内部に残存する雨水等の冬季における氷結がなくなり、これがため、完成した状態の板状中空建材であるハニカムパネル１０の耐久性を著しく向上させることが可能となる。
【００５１】
次に、変形例（１）を、図１（Ｂ）に基づいて説明する。
【００５２】
この図１（Ｂ）に示す第１実施形態の変形例（１）は、前述した図１（Ａ）における裏面材３の延設部３Ａの先端部を、前述した端部カバー５の先端部に対向する位置を越えて更に延設した場合を示す。符号３Ｂはこの場合の延設部を示す。その他の構成は、前述した図１（Ａ）と場合と同一となっている。
【００５３】
このようにしても、前述した図１（Ａ）の場合と同一の作用効果を有するほか、更に排出された雨水等が延設部３Ａの先端部を長くすることにより円滑に流下し排出されるという利点がある。
【００５４】
又、変形例（２）を、図１（Ｃ）に基づいて説明する。
【００５５】
この図１（Ｃ）に示す第１実施形態の変形例（２）は、前述した図１（Ａ）における裏面材３の延設部３Ａの先端部の形状を、端部カバー５の先端部に対向して内側に傾斜面３Ａａを備えた断面鋭角状とした場合を示す。その他の構成は、前述した図１（Ａ）の場合と同一となっている。
【００５６】
このようにしても、前述した図１（Ａ）の場合と同一の作用効果を有するほか、更に排出される雨水等の流動抵抗を更に少なくすることができ、このため、周囲に飛散することなく、ハニカムコア１内に残存する雨水等をより円滑に流下排出することが可能となっている。
【００５７】
ここで、上記第１の実施形態では、ハニカムコア１の端面１Ａと当該端面１Ａを覆う箇所の前述した端部カバー５との間に、空隙領域Ｂを設けた場合について例示したが、この空隙領域Ｂはなくてもよい。
かかる場合は、内部に溜まる雨水等がハニカムコア１内の下部に止められるため雨水等の排出抵抗が幾分大きくなり排出速度が低くなるが、その他の作用効果は前述した図１（Ａ）の実施形態とほぼ同等のものを得ることができる。
【００５８】
また、前述した端部カバー５の先端部（即ち裏面材３に向けて曲折された部位５Ｂの先端部）を断面鋭角状に形成した場合を例示したが、この鋭角状の断面形状については特に設けなくてもよい。
【００５９】
【第２の実施形態】
第２の実施形態を、図２（Ａ）に基づいて説明する。又、この図２（Ａ）の変形例を図２（Ｂ）（Ｃ）に示す。
【００６０】
まず、この図２（Ａ）に示す第２の実施形態は、前述した図１（Ａ）に示す第１の実施形態における裏面材３の延設部３Ａを設けることなく前述した端部カバー５を他の端部カバー１５に代えた点に特徴を備えている。
【００６１】
即ち、この第２の実施形態における端部カバー１５は、前述した裏面材３側へ向かう部位の先端部に、前記裏面材３の端部の外側を覆うように曲折して成るカバー先端曲折部１６が設けられている。そして、このカバー先端曲折部１６と前述した裏面材３の端部との間に所定の隙間Ａが設けられている。
【００６２】
ここで、符号１５Ａは、端部カバー１５の曲折された一方の曲折部位を示す。この一方の曲折部位は、前述した図１（Ａ）の場合と同様に表面材２に接着材等によって固着されている。又、符号１５Ｂは、端部カバー１５の曲折された他方の曲折部位を示す。そして、この他方の曲折部位１５Ｂによって前述した空隙領域Ｂが設定され、同時に当該他方の曲折部位１５Ｂの先端部に、前述した如くカバー先端曲折部１６が設けられている。
【００６３】
この場合、前述した空隙領域Ｂの空隙厚さβは、β＝１．６〔ｍｍ〕以上の所定値に設定されている。又、前述したカバー先端曲折部１６と裏面材３の端部との間の隙間Ａの幅寸法αは、α＝１．６〔ｍｍ〕以上の所定値に設定されている。その他の構成は前述した図１（Ａ）の第１実施形態と同一となっている。
【００６４】
このようにしても、前述した図１（Ａ）の第１実施形態とほぼ同等の作用効果を有するほか、更に、隙間Ａが裏面材３に沿って内側に向いているので、前述したハニカムコア１と端部カバー１５との間に設定された空隙領域Ｂを完全に覆うことができ、かかる点において化粧板としての装飾機能を有効に発揮することができるという利点がある。
【００６５】
次に、変形例（１）を、図２（Ｂ）に基づいて説明する。
【００６６】
この第２の実施形態の変形例（１）は、前述した図２（Ａ）におけるカバー先端曲折部１６の長さを短くして、カバー先端曲折部１７とした点に特徴を備えている。
即ち、この変形例におけるカバー先端曲折部１７は、その突出長さが、前述した空隙領域Ｂの空隙厚さ寸法βとほぼ同等の寸法に設定されている。その他の構成は前述した図２（Ａ）の第２の実施形態と同一となっている。
【００６７】
このようにしても、前述した図２（Ａ）に開示した第２実施形態とほぼ同等の作用効果を有するほか、更に、隙間Ａが裏面材３に沿って内側に向いていると共に、当該カバー先端曲折部１６の突出長さを、前述した空隙領域Ｂの空隙厚さ寸法βとほぼ同等の寸法に設定したので、当該突出長さが短くなり、これがため、空隙領域Ｂ部分に留まる雨水等を少なくすることができ、更に、ハニカムコア１内と外部との通気性がよくすることができるという利点がある。
【００６８】
次に、他の変形例（２）を、図２（Ｃ）に基づいて説明する。
【００６９】
この第２実施形態における他の変形例（２）は、前述した図２（Ａ）に開示したカバー先端曲折部１６の先端部を、前述した裏面材３に面して傾斜面１６ａを有する断面鋭角状に形成した点に特徴を備えている。その他の構成は前述した図２（Ａ）の第２の実施形態と同一となっている。
【００７０】
このようにしても、前述した図２（Ａ）に開示した第２実施形態とほぼ同等の作用効果を有するほか、更に、隙間Ａを形成するカバー先端曲折部１６の先端部を、裏面材３に面して傾斜面１６ａを有する断面鋭角状に形成したので、前述した空隙領域Ｂを有効に覆うことができるばかりでなく、雨水等が当該空隙領域Ｂに留まるのをほぼ完全に排除することができ、当該傾斜面１６ａがガイドとなって外気を有効に導入することができ、かかる点において、ハニカムコア１内と外部との通気性をより一層改善することができるという利点がある。
【００７１】
【第３の実施形態】
第３の実施形態を図３（Ａ）に基づいて説明する。又、この図３（Ａ）の変形例を図３（Ｂ）（Ｃ）（Ｄ）に示す。
【００７２】
まず、この図３（Ａ）に示す第３の実施形態は、前述した図２（Ａ）に示す第２の実施形態における隙間Ａと空間領域Ｂとの関係を特に考慮したもので、空間領域Ｂにハニカムコア１内の雨水等が溜まるのを完全に排除するように構成した点に特徴を有する。
【００７３】
即ち、この図３（Ａ）に示す第３の実施形態では、前述した図２（Ａ）の第２の実施形態で開示した端部カバー１５に代えて、その他方の曲折部位１５Ｂの先端部が前述した裏面材３に面した位置に合わせた長さに形成された端部カバー２５を装備している。
【００７４】
そして、この端部カバー２５の他方の曲折部位２５Ｂとこれに対向する前述したハニカムコア１の端面との間に、図３（Ａ）における下端部側が開放され空隙厚さ寸法βの空間領域Ｂが設けられている。この場合、この空間領域Ｂの図３（Ａ）の下端部（開口部）には、当該空間領域Ｂと同一の隙間寸法α（図示せず）の隙間Ａが設けられているのと同等である（即ち、α＝β）。
【００７５】
ここで、前述したハニカムコア１の端面とこの端面を覆う箇所の端部カバー２５との空隙領域Ｂの空隙厚さ寸法βは、前述した図２（Ａ）の第２の実施形態と同様に１．６〔ｍｍ〕以上の所定値に設定されている。その他の構成は、前述した図２（Ａ）の実施形態と同一となっている。
【００７６】
このようにしても、前述した図２（Ａ）の実施形態と同一の作用効果を有するほか、更に、本実施形態では空間領域Ｂの前述した裏面材３側が完全に開放されており、これがため、ハニカムコア１内の雨水等が空間領域Ｂに溜まるのを完全に防止することができるという利点がある。
【００７７】
次に、変形例（１）を図３（Ｂ）に基づいて説明する。
この第３の実施形態における変形例（１）では、前述した図３（Ａ）に開示した空隙領域Ｂ（空隙厚さβ）の開放端に位置する端部カバー２５の先端部に、前述した裏面材３の端面に向かう突出部２６を設ける。そして、この突出部１６の先端面と前述した裏面材３の端面との間には、所定幅γ（但し、γ＜β）の隙間Ｃが設けられている。
この隙間Ｃの隙間幅γは、０．６〔ｍｍ〕以上に設定されている。又、この隙間幅γの上限は、外観を損なわない範囲で、例えば３．０〔ｍｍ〕程度とするのがよい。その他の構成は前述した第３の実施形態と同一となっている。
【００７８】
このようにしても、前述した第３の実施形態と同一の作用効果を有するほか、更に、空隙領域Ｂの空隙厚さβを任意の大きさに設定することができ、同時に隙間Ｃの隙間幅γを、０．６〔ｍｍ〕以上の比較的狭い隙間幅に設定し得るので、外観美を損なうことなく、又内部に溜まった雨水に対する排水機能を損なうことなく隙間Ｃの隙間幅γを特定することができて都合がよい。
【００７９】
次に、変形例（２）を図３（Ｃ）に基づいて説明する。
この第３の実施形態における変形例（２）では、上記図３（Ｂ）の変形例（１）で追加した突出部２６の先端部を、内側に傾斜面２７Ａを備えた断面鋭角状に形成して突出部２７とした点に特徴を有する。その他の構成は図３（Ｂ）の変形例（１）と同一となっている。
【００８０】
このようにしても、前述した図３（Ｂ）に開示した変形例（１）と同一の作用効果を有するほか、更に、突出部２７の先端部が断面鋭角状になっていることから、これによって形成される隙間Ｃ部分の流動抵抗が大幅に小さくなり、これがため、ハニカムコア１内の雨水等を空隙領域Ｂを介して外部に迅速に且つ円滑に排出することができるという利点がある。
【００８１】
次に、変形例（３）を図３（Ｄ）に基づいて説明する。
この第３の実施形態における変形例（３）では、上記図３（Ｃ）の変形例（２で追加した断面鋭角状の突出部２７の先端部に対向して、前述した裏面材３の端を前述した突出部２７に向けて延設すると共に、この裏面材３の延設部３Ａの先端部を内面側に傾斜面３Ａａを有する断面鋭角状に形成した点に特徴を有する。その他の構成は前述した図３（Ｃ）の変形例（２）と同一となっている。
【００８２】
このようにしても、前述した図３（Ｃ）の変形例（２）と同一の作用効果を有するほか、更に、突出部２７の先端部と裏面材３の延設部３Ａの先端部とが共に断面鋭角状になっていることから、これによって形成される隙間Ｃ部分の流動抵抗が更に一層小さくなり、これがため、ハニカムコア１内の雨水等を空隙領域Ｂを介して外部に向けてより一層迅速に且つ円滑に排出することができるという利点がある。
【００８３】
【第４の実施形態】
第４の実施形態を図４（Ａ）に基づいて説明する。又、この図４（Ａ）の変形例を図４（Ｂ）に示す。
【００８４】
まず、この図４（Ａ）に示す第４の実施形態は、前述した図３（Ａ）に示す第３の実施形態における端部カバー２５に代えて、その他方の曲折部位３５Ｂの先端部の内側に前述したハニカムコア１の端面に向かう内側突出部３６を備えた端部カバー３５を装備した点に特徴を有する。
【００８５】
これを更に詳述する。
この第４の実施形態は、図４（Ａ）に示すように、中空建材本体としての蜂の巣状に形成されたハニカムコア１と、このハニカムコア１の表裏面にそれぞれ貼り合わされた表面材２および裏面材３と、表面材２に保持され前述したハニカムコア１の端部を覆う構造の端部カバー３５とを備えている。この端部カバー３５は断面Ｌ字状に形成されている。ここで、符号３５Ａは前述した端部カバー３５の一方の曲折部位を示し、符号３５Ｂは他方の曲折部位を示す。
【００８６】
ハニカムコア１の端面とこの端面を覆う箇所の前述した端部カバー３５（他方の曲折部位３５Ｂ）との間には、所定の空間領域Ｓが設けられている。更に端部カバー３５の前述した裏面材３側へ向かう部位である他方の曲折部位３５Ｂの先端部と裏面材３の延設部との間には、前述した空隙領域Ｓに連通する所定の隙間Ａが設けられている。符号３Ａは裏面材３の延設部を示す。
そして、この隙間Ａに近接して、前述した空隙領域Ｓ内の端部カバー３５部分には、当該端部カバー３５から前述したハニカムコア１の端面に向かう内側突出部３６が設けられている。
【００８７】
更に、この内側突出部３６と前述したハニカムコア１の端面との間には所定の隙間ｅが、又前述した内側突出部３６と裏面材３との間には所定の隙間ｆがそれぞれ設けられている。
ここで、上記隙間Ａ，ｅ，ｆの各隙間幅寸法は、本実施形態では１．６〔ｍｍ〕以上に設定されている。その他の構成は前述した図１（Ａ）の場合と同一となっている。
【００８８】
このようにしても、前述した図１（Ａ）の場合とほぼ同等の作用効果を有するほか、内側突出部３６が有効に機能して、雨水等の排水機能を損なうことなく、又ハニカムコア１内の空間と外気とを遮断することなく、内部を有効に遮蔽し化粧板としての機能を有効に維持することができるという利点がある。
【００８９】
次に、上記第４の実施形態の変形例を、図４（Ｂ）に基づいて説明する。
【００９０】
この第４の実施形態における変形例では、前述した図４（Ａ）に開示し内側突出部３６に代えて、その先端部３７Ａが図４（Ｂ）に示すように裏面材３の延設部３Ａに向けて斜めに下降して成る内側突出部３７を設けた点に特徴を備えている。符号３５は端部カバー３５を示す。その他の構成は前述した図４（Ａ）の場合と同一となっている。
【００９１】
このようにしても、前述した図４（Ａ）に示す第４の実施形態の場合と同等に機能するほか、更に、内側突出部３７が裏面材３側に向けて斜めに下降しているので、空隙領域Ｓ内に雨水等が溜まるのを確実に防止することができるという利点がある。
【００９２】
【第５の実施形態】
第５の実施形態を図５（Ａ）に基づいて説明する。又、この図５（Ａ）の変形例を図５（Ｂ）に示す。
【００９３】
まず、この図５（Ａ）に示す第５の実施形態は、前述した図４（Ｂ）に開示した第４実施形態の変形例において、端部カバー３５の図４（Ｂ）における下端部に、裏面材３の延設部３Ａに向かう先端突起部３８を設け、この先端突起部３８と前述した裏面材３の延設部３Ａの突出端部とを、それぞれ内側に傾斜面３８ａ，３Ａａを備えた断面鋭角状に形成した点に特徴を備えている。記号Ｓは空隙領域を示す。
【００９４】
そして、前述した端部カバー３５の先端突起部３８と裏面材３の延設部３Ａの突出端部との間に、所定の隙間間隔γの隙間Ｃが設けられている。その他の構成は、前述した図４（Ｂ）の変形例と同一となっている。この場合、隙間Ｃの隙間間隔γは、０．６〔ｍｍ〕以上の所定の寸法に設定されている。その他の構成は前述した図４（Ｂ）の場合と同一となっている。
【００９５】
このようにしても、前述した図４（Ｂ）の変形例と同一の作用効果を有するほか、更に、隙間Ｃの隙間寸法γを、０．６〔ｍｍ〕程度に設定し得るので、雨水等の排水機能を損なうことなく、又ハニカムコア１内の空間と外気とを遮断することなく、内部を更に有効に遮蔽し、これによって化粧板としての機能を有効に発揮し維持することができるという利点がある。
【００９６】
次に、上記第５の実施形態の変形例を、図５（Ｂ）に基づいて説明する。
【００９７】
この第５の実施形態における変形例では、前述した図５（Ａ）において、端部カバー３５の先端突起部３８を図５（Ｂ）に示す如く削除した点に特徴を備えている。その他の構成は前述した図５（Ａ）の場合と同一となっている。
このようにしても前述した図５（Ａ）の場合とほぼ同等の作用効果を得ることができる。
【００９８】
【実験例】
〔供試体の構成〕
上述した各実施形態における隙間の形態について、その排水能力を確認するためのテストを試みた。図６に作成した四点の試料（供試体Ｔ１，Ｔ２，Ｔ３，Ｔ４）を示す。
ここで、四種類の各供試体Ｔ１〜Ｔ４は、大きさ口３００〔ｍｍ〕で、全体的な厚さが１５〔ｍｍ〕の小口コーナを断面Ｌ字状の端部カバー（枠材）５５で覆うと共に、この枠材５５の図６における上端部（一方の曲折部位）をスペーサＫを介して表面材２にリベット止めしたものとなっている。記号１はハニカムコアを示し、記号３は裏面材を示す。
【００９９】
〔供試体の種類〕
（１）  供試体Ｔ１は、裏面材３の図６の右端部に右方に突出した延設部３Ａが設けられ、この延設部３Ａに対応して、端部カバー（枠材）５５の先端部に右方に突出した鍔部５５ｚが設けられている。そして、この鍔部５５ｚと延設部３Ａとの間に、隙間Ａが設けられている。即ち、この隙間Ａは、端部カバー５と裏面材３との間に設けられている。鍔部５５ｚと延設部３Ａを設定したのは、隙間Ａから外部に流出する雨水等の流動抵抗を高く設定しその影響を調べるためである。
【０１００】
この場合の隙間Ａの隙間寸法αは、α＝0.5 ，0.6 ，0.7  0.8  0.9  1.0  1.5 および 3.0〔ｍｍ〕として各８個の供試体Ｔ１を作成した。
【０１０１】
（２）  供試体Ｔ２は、図６に示すように、前述した供試体Ｔ１における鍔部５５ｚを削除し、隙間Ａの隙間寸法αを1.5 〔ｍｍ〕としたものである。
【０１０２】
（３）  供試体Ｔ３は、図６に示すように、前述した供試体Ｔ２において、ハニカムコア１の端面と端部カバー（枠材）５５の内面側との間に空隙領域Ｂを設けたものである。この場合、空隙領域Ｂの厚さβを1.5 〔ｍｍ〕とした。
【０１０３】
（４）  供試体Ｔ４は、図６に示すように、前述した供試体Ｔ３において、端部カバー（枠材）５の先端部を内面側に傾斜面５５ａを配した断面鋭角状に形成し、その先端角部と前述した裏面材３との間に隙間Ａを設けたものである。
【０１０４】
そして、これら各供試体Ｔ１〜Ｔ４は、端部カバー（枠材）５と表面材２，裏面材３とは特にシールすることなく一体化したものとなっている（これは、雨水等がハニカムコア１内に進入し易いようにするため）。
【０１０５】
〔試験方法〕
供試体Ｔ１，Ｔ２，Ｔ３又はＴ４を水平に置き、水道水を注いだ。そして、小口・コーナーからの排水の状況を観察した。
又、排水勾配（１／１００，１／５０，１／２５）を設定して、同様の実験を行った。
【０１０６】
〔試験結果〕
〔一〕勾配を付けない場合
（１）供試体Ｔ１では、隙間幅α＝0.5 〔ｍｍ〕の隙間Ａからは排水が認められなかったが、隙間幅α＝0.6 〔ｍｍ〕以上で、隙間Ａからの排水が認められた。隙間幅α＝0.5 〔ｍｍ〕の場合に排水出来なかったのは、毛細管現象が原因と推察される。
一方、隙間幅α＝0.5 〜3.0 〔ｍｍ〕の全ての供試体Ｔ１で、隙間Ａ部分に存在する水がブリッジを形成することが確認された。
【０１０７】
（２）供試体Ｔ２〜Ｔ４においても、排水はされるが、隙間Ａ部分に存在する水がブリッジを形成することが確認された。
【０１０８】
（３）供試体Ｔ２〜Ｔ４において、隙間幅α＝1.5 〔ｍｍ〕とした場合、隙間Ａ部分に形成されるブリッジの大きさは、Ｔ１＞Ｔ２＞Ｔ３＞Ｔ４の順となっており、供試体Ｔ１の場合が一番大きく、供試体Ｔ４の場合が一番小さかった。
【０１０９】
（４）この場合（隙間幅α＝1.5 とした場合）、水平状態では、隙間Ａ部分のブリッジが維持されること（振動等によってブリッジ状態が崩れて排水される場合も不規則に生じるが）を確認することができた。
一方、隙間幅α＝1.6 〔ｍｍ〕とした場合には、各供試体Ｔ１〜Ｔ４とも、隙間Ａ部分からの排水を認めることが出来た。
【０１１０】
〔二〕勾配を付した場合
勾配を付して設置した場合に排水の有無について検討した。
（１）隙間幅αを1.5 〔ｍｍ〕、排水勾配１／１００の場合
全ての供試体Ｔ１〜Ｔ４について、隙間Ａ部分のブリッジが維持され、当該ブリッジを形成している水は流れ落ちることが無かった。
【０１１１】
（２）隙間幅αを1.5 〔ｍｍ〕、排水勾配１／５０の場合
▲１▼．供試体Ｔ１では、隙間Ａ部分にブリッジを形成していた水は流れ落ちなかった。
▲２▼．供試体Ｔ２〜Ｔ４では、隙間Ａ部分にブリッジを形成していた水は、全ての場合、流れ落ちた。
【０１１２】
（３）隙間幅αを1.5 〔ｍｍ〕、排水勾配１／２５の場合
全ての供試体Ｔ１〜Ｔ４について、隙間Ａ部分でブリッジを形成していた水は流れ落ちた。
【０１１３】
〔結論〕
（１）．ハニカムパネルを庇や軒天井等の建材として使用する場合、小口・コーナー部内に進入した雨水等を容易に排出するには、端部カバー（枠材）５の先端部と裏面材３との間に隙間Ａを設けると共に、その隙間幅αを1.６〔ｍｍ〕以上とするとよい。この場合、端部カバー（枠材）５とこれに対向するハニカムコアの端面との間にも、厚さ寸法βを1.６〔ｍｍ〕以上とした空間領域Ｂを設けるとよい。
【０１１４】
（２）．ハニカムパネルの庇や軒天井等に装備するに際して勾配を設ける場合には、１／５０以上の勾配とするとよい。
【０１１５】
（３）．端部カバー（枠材）５の先端部と裏面材３との間に隙間Ａを設ける場合には、その先端部の断面形状を鋭角状とするとよい。この場合、隙間Ａの隙間幅γは０．６〔ｍｍ〕以上の所定値に設定してもよい。
【０１１６】
尚、上記各実施形態および実験例は、いずれも中空建材本体の具体例として蜂の巣状に形成されたアルムニュウム製のハニカムコアに基づいて説明したが、中空建材本体としてハニカムコアと同等に機能し得るものであれば、他の部材であってもよい。
【０１１７】
【発明の効果】
本発明は、以上のように構成され機能するので、これによると、裏面材の端部と端部カバーの端部（図１における下端部）との間に形成される隙間Ａが有効に機能してハニカムコア等の中空建材本体の内底部に溜まった雨水等を容易に外部へ排出することができる。
【０１１８】
特に、当該中空建材本体を傾斜装備した場合には当該中空建材本体の端面と端部カバーとの間の空隙領域Ｂによって、中空建材本体の内部に散在する雨水等を前述した隙間Ａに向けて集めることができ、これがため、内部に進入した雨水等を連続して且つ円滑に流下排出することができ、内部の湿気についても、隙間Ａを介して常に外気との自然対流がなされ外部に排気することができ、これがため、内部に残存する雨水等の冬季における氷結を大幅に低減することができ、これにより、ハニカムコア等の中空建材本体の耐久性を著しく向上させることが可能となる。
【０１１９】
換言すると、中空建材本体の端面（図１における下方領域）は常に外気に導通されることとなり、当該中空建材本体の内部に進入した雨水等は効率よく外部に排水され、又中空建材本体の内部の残存する湿気は隙間Ａを介して外気との入れ代わりが自然に行われることから、当該中空建材本体内における雨水等の残存量は極端に少くなる。このため、前述した従来例で生じていた内部に残存する雨水等の冬季おける氷結および膨張とこれに伴うハニカムパネルの変形や損傷事故を、大幅に抑制することができ、かかる点において前述したハニカムコア等の中空建材本体のの耐久性を著しく向上させることができる、という従来ない優れたハニカムパネル等の板状中空建材を提供することができる。
【図面の簡単な説明】
【図１】本発明の第１の実施形態及びその変形例を示す図で、図１（Ａ）は第１の実施形態を示す一部省略した概略断面図、図１（Ｂ）は第１実施形態の変形例（１）を示す概略断面図、図１（Ｃ）は第１実施形態の変形例（２）を示す概略断面図である。
【図２】本発明の第２の実施形態及びその変形例を示す図で、図２（Ａ）は第２実施形態を示す一部省略した概略断面図、図２（Ｂ）は第２実施形態の変形例（１）を示す概略断面図、図２（Ｃ）は第２実施形態の変形例（２）を示す概略断面図である。
【図３】本発明の第３の実施形態及びその変形例を示す図で、図３（Ａ）は第３の実施形態を示す一部省略した概略断面図、図３（Ｂ）は第３実施形態の変形例（１）を示す概略断面図、図３（Ｃ）は第３実施形態の変形例（２）を示す概略断面図、図３（Ｄ）は第３実施形態の変形例（３）を示す概略断面図である。
【図４】本発明の第４の実施形態及びその変形例を示す図で、図４（Ａ）は第４の実施形態を示す一部省略した概略断面図、図４（Ｂ）は第４実施形態の変形例を示す概略断面図である。
【図５】本発明の第５の実施形態及びその変形例を示す図で、図５（Ａ）は第５の実施形態を示す一部省略した概略断面図、図５（Ｂ）は第５実施形態の変形例を示す概略断面図である。
【図６】上記実施形態における一部分の実験例を示す説明図である。
【図７】従来例を示す説明図である。
【符号の説明】
１  中空建材本体としてのハニカムコア
１Ａ  中空建材本体の端面
２  表面材
３  裏面材
３Ａ，３Ｂ  裏面材延設部
３Ａａ，５Ｂａ，１６ａ，２７Ａ，３８ａ  傾斜面
５，１５，２５，３５  端部カバー（枠材）
１０  板状中空建材としてのハニカムパネル
１６，１７  カバー先端曲折部
２６，２７  突出部
３６，３７  内側突出部
３８  内側突起部
Ａ，Ｃ，ｅ，ｆ  隙間
Ｂ，Ｓ  空隙領域
【図１】
0003994609.tif 000002
【図２】
0003994609.tif 000003
【図３】
0003994609.tif 000004
【図４】
0003994609.tif 000005
【図５】
0003994609.tif 000006
【図６】
0003994609.tif 000007
【図７】
0003994609.tif 000008